(57)【要約】      （修正有）【課題】日本式の鍼治療に関しては、伝統的な手法に則り、刺し入れられる鍼を指で固定しながら徐々に体内へ刺入する方法が広く行われている。だが、医療上の感染防止と安全性面から、体内に挿入する治療器具は、滅菌された清潔な器具が使用されるのが通常である。そのため、本発明では、指で鍼を固定しながらも鍼体自体には直接触れることはなく、無菌状態で体内に刺入できる治療用鍼を開発することとした。【解決手段】鍼管４下部が閉口した柔軟なプラスチック製薄膜によるキャップ１で鍼管４を覆い、このキャップ上端を鍼管４に接着固定した形状の治療用鍼を作製した。これにより、清潔で安全な治療鍼の使用が可能となり、鍼２体自体には直接触れることはなく、鍼２を無菌状態で体内に刺入できるようになった。【選択図】図３
2006034915.tif 000002
【特許請求の範囲】
【請求項１】
鍼管下部が閉口した柔軟で且つ薄いキャップ状のプラスチック製薄膜により鍼管を覆い、この上端を固定した清潔安全な治療鍼。
【請求項２】
プラスチック製薄膜の片面を閉口したキャップ状の円筒を作製し、これを鍼管下部から装備し上端を固定した請求項１に記載の清潔・安全な治療鍼。
【発明の詳細な説明】
【技術分野】
【０００１】  この発明は、治療用鍼の形状に関するものである。
【背景技術】
【０００２】  近年、医療上の感染防止と安全性面から、体内に挿入する治療器具は、滅菌された清潔な器具が使用されている。しかし、鍼治療に関しては、伝統的な手法に則り、刺し入れられる鍼を指で固定しながら徐々に体内へ刺入する方法が広く行われている。しかし、このような治療操作は不衛生であることから、治療者の指が鍼体自体に直接触れることなく、無菌状態で体内に刺入できる治療用鍼が開発されている。すでに、鍼管に鍼管の外径よりも太い内径を持った柔軟で薄いプラスチックなどの素材を鍼管に装備した治療用鍼が先行して発明されているが、この方法では、薄膜の両端が開放されているため鍼を操作する際に薄膜が上下にずれてしまい、目的とする刺鍼操作が円滑に行うことができないことがあげられる。そのため、鍼下端の刺入側の鍼管を薄膜で覆い閉口させ、さらに、これがずれないように上端を接着剤で固定した治療用鍼の発明を行った。
【発明の開示】
【発明が解決しようとする課題】
【０００３】  無菌状態で鍼治療を実施するために、治療者が鍼刺入時に鍼体を指で直接触れずに清潔且つ安全に施術できる構造の治療鍼を作製することにある。
【課題を解決するための手段】
【０００４】  以上の課題を解決するために、第一発明は、キャップ状のプラスチック製薄膜で鍼下端の鍼尖側の鍼管を覆い閉口させ、さらに、これがずれないように上端を接着固定した治療用鍼の発明である。
また、第二発明は、鍼管を覆うキャップ状のプラスチック製薄膜の発明である。プラスチック製膜の厚みは１〜５μのもので、鍼管の一部あるいは全部を覆うこともでき、使用する鍼の長さによって決めることができる。このキャップ上端は鍼管に接着固定されている。そのため、切皮で鍼を体に刺した後、鍼管とキャップを切り離すため、接着部下限にミシン目を入れることもある。但し、キャップの厚さが２μ程度の場合にはミシン目を入れなくても、キャップを指で固定し勢い良く鍼管を抜管すれば接着部からキャップが切断されるので、キャップの厚さによってはミシン目を入れる必要はない。また、キャップの色は鍼の太さや長さの特性に応じて、着色を変えられるものである。
【発明の効果】
【０００５】  第一発明、または第二発明によれば、鍼治療時に鍼体を指で直接触れずに体内へ鍼を刺入することが可能となり、無菌状態で鍼治療を実施することが可能となった。
また、本発明ではプラスチック製薄膜をキャップ状に加工し、その上端を鍼管に接着固定したことで、従来の両端が開放されているプラスチック製薄膜を装着したものに比べ、薄膜が移動すること無く、より確実に無菌状態での刺鍼操作ができるようになった。
【発明を実施するための最良の形態】
【０００６】  この発明の一実施形態を、図１に示す。
治療用鍼は鍼体（２）および鍼柄（３）から成る。鍼体（２）の材質は、ステンレス、銀、金などであり、通常の日本鍼はこれに鍼管（４）が装着されて、鍼を覆っている。今回の発明は、鍼管（４）の下端から外周を覆った、プラスチック製薄膜によるキャップ（１）から成る治療用鍼である。プラスチック製薄膜によるキャップ（１）には、その厚さによりミシン目（５）が入れられるものである。ミシン目（５）より上部は接着固定がなされている。
図２には上記の各構成部分を分割して図示した。
図３には、当発明により実際に鍼を体内へ刺入する際の様態を示した。左図のようにいわゆる鍼（２）（３）と鍼管（４）およびプラスチック製薄膜によるキャップ（１）から成る治療用鍼は指（６）で皮膚上に固定される。鍼柄（３）の最上部を勢い良く皮膚面に対し垂直にたたくと鍼はキャップ（１）を貫き、さらに皮下まで到達する。そして、鍼管（４）を上方へ抜き上げるとミシン目（５）から切断されたキャップ（１）が指間に残り、中央の図のように直接、鍼体（２）に指（６）が触れることがなく固定ができる。このようにした後、皮膚面に対して鍼上方から外力を加えると右図に示すように鍼が体内へと刺入される。
尚、プラスチック製薄膜によるキャップ（１）の作製は、あらかじめ図のように加工したものが最良の形態ではあるが、薄膜を鍼管（４）下部から上部にかけてかぶせて固定しても良い。
【実施形態の効果】
【０００７】  この実施形態によれば、刺鍼時に鍼を指でつまみ固定するといった鍼灸師の伝統的な臨床技法を変えることなく、医学的な清潔状態（無菌状態）で鍼治療を実施することが可能となった。この方法による使用上の違和感は殆ど感じられないものである。
この形態によって、先行の発明よりも、より清潔、且つ、安全に鍼治療が施術できるようになった。
【他の実施形態】
【０００８】  プラスチック製薄膜によるキャップ（１）の厚みは１〜５μのもので、鍼管（４）の一部あるいは全部を覆うこともでき、使用する鍼体（２）の長さによって決めることができる。このキャップ（１）上端は鍼管に接着固定されている。そのため、切皮で鍼を体に刺した後、鍼管（４）とキャップ（１）を切り離すため、接着部下限にミシン目（５）を入れることもある。但し、キャップ（１）の厚さが２μ程度の場合にはミシン目（５）を入れなくても、キャップ（１）を固定し勢い良く鍼管を抜管すれば接着部からキャップ（１）が切断されるので、キャップ（１）の厚さによってはミシン目（５）を入れる必要はない。また、キャップ（１）の色は鍼の太さや長さの特性に応じて、着色を変えられるものである。
【図面の簡単な説明】
【０００９】
【図１】  この発明の一実施形態を示す正面図である。  治療用鍼は鍼体（２）および鍼柄（３）から成る。通常の日本鍼はこれに鍼管（４）が装着されて、鍼を覆っている。当発明は、鍼管（４）の下端から外周を覆った、プラスチック製薄膜によるキャップ（１）から成る治療用鍼である。プラスチック製薄膜によるキャップ（１）には、その厚さによりミシン目（５）が入れられるものである。ミシン目（５）より上部は接着固定がなされている。
【図２】  図１の各構成部分を分割して図２に示した。
【図３】  この発明を用いることで、どのように鍼が体内に刺入されていくのかを３段階で図示した。左図のように、いわゆる鍼（２）（３）と鍼管（４）およびプラスチック製薄膜によるキャップ（１）から成る治療用鍼は指（６）で皮膚上に固定される。鍼柄（３）の最上部を勢い良く皮虜面に対し垂直にたたくと鍼はキャップ（１）を貫き、中央の図のように皮下まで到達する。そして、鍼管（４）を上方へ抜き上げるとミシン目（５）から切断されたキャップ（１）が指間に残る。皮膚面に対して鍼上方から外力を加えると、鍼体（２）に指（６）が触れることなく右図に示すように鍼が体内へと刺入される。
【符号の説明】
【００１０】  １  プラスチック製薄膜によるキャップ    ２  鍼体    ３  鍼柄
４  鍼管    ５  ミシン目    ６  指
【図１】
2006034915.tif 000003
【図２】
2006034915.tif 000004
【図３】
2006034915.tif 000005